(57)【要約】【目的】周囲の温度が低いときでも開閉がしやすい、芯上下や点火操作等を行なう操作部に設けた開閉扉の構造に関する。【構成】石油燃焼器の枠体１の前板２に扉枠３を配置し、扉枠３には芯上下操作等を行なう操作部５をカバーする開閉扉６を取付け、開閉扉６と扉枠３には開閉扉６を回動可能に軸支する孔７と支軸８を設け、開閉扉６の一端には扉枠３の係止部３ａに係止する係止手段６ａを設ける。孔７は支軸８の径よりも大きい長孔で構成し、開閉扉６の端部には開閉扉収納部４の収納部端縁４ａに向けてバネ部９を形成する。開閉扉６の閉時はバネ部９が収納部端縁４ａに当接して開閉扉６を係止部３ａ側に付勢し、係止手段６ａと係止部３ａとの係合を維持している。開閉扉６の開閉時は開閉扉６をバネ部９側に押圧すると、バネ部９が圧縮して係止手段６ａが収納部端縁４ａよりも内側に移動するので、強い力を加えなくても容易に開閉することができる。【選択図】          図１
2004205170.tif 000002
【特許請求の範囲】
【請求項１】
石油燃焼器の枠体１の前板２に配置した扉枠３に開閉扉収納部４を形成し、該扉枠３には操作部５を設け、
かつ、開閉扉収納部４には操作部５をカバーする為の開閉扉６を取り付け、
かつ、該開閉扉６の一端には扉枠３の係止部３ａに係止する係止手段６ａを設け、該係止手段６ａとは反対側に位置する開閉扉６の裏側の突部には孔７を形成し、該孔７は扉枠３に形成した支軸８によって保持され、支軸８を中心にフリーに回動可能とする開閉扉において、
前記孔７は支軸８の径よりも大きい長孔で構成し、
かつ、開閉扉６の係止手段６ａとは反対側の端部には開閉扉収納部４の収納部端縁４ａ側に向けてバネ部９を形成し、開閉扉６の開時はバネ部９が開閉扉収納部４の収納部端縁４ａに近接しながら回動し、
一方、開閉扉６の閉時はバネ部９が収納部端縁４ａに当接し、支軸８は孔７内のバネ部９側に移動して、バネ部９を圧縮しながら開閉扉６の係止手段６ａが開閉扉収納部４内に位置し、
かつ、開閉扉６はバネ部９によって係止部３ａ側に移動して、開閉扉収納部４内で係止手段６ａと係止部３ａとが係合することを特徴とする石油燃焼器の開閉扉の取り付け構造。
【請求項２】
前記バネ部９は開閉扉６の係止手段６ａとは反対側の端部から連続して形成した傾斜もしくは湾曲する部材で構成し、開閉扉６とバネ部９は弾性力のある樹脂成形品で一体に成形したことを特徴とする請求項１記載の石油燃焼器の開閉扉の取り付け構造。
【発明の詳細な説明】
【０００１】
【産業上の利用分野】
この発明は、芯上下や点火操作等を行なう操作部が、外部から直接手を触れることのないようにカバーする石油燃焼器の開閉扉の取り付け構造に関するものである。
【０００２】
【従来の技術】
芯上下や点火操作を行う操作部には外部から直接手を触れないようにカバーする開閉扉を設けるものがあり、この開閉扉は扉枠から形成した支軸と開閉扉の裏に形成した孔との嵌合によって保持されており、支軸を中心に回動するものである。そして、開閉扉の孔とは反対側の端部に係止手段が設けてあり、扉枠には係止手段に対応する係止部が設けてあり、係止手段と係止部との係合によって開閉扉が扉枠に収納できるようになっている。
【０００３】
一般的に、開閉扉や扉枠は樹脂や金属で作られており、開閉扉が樹脂製のものでは、開閉扉の弾性を利用して開閉扉の開閉を行うものがあり、開閉扉を扉枠に収納する時は、係止手段が収納部端縁にぶつかり、樹脂成形品である開閉扉が湾曲して係止手段が係止部に係合する。
【０００４】
一方、開閉扉が収納された状態で係止手段の付近に設けた扉開閉つまみを開閉扉の孔側に押圧すると、開閉扉が湾曲して係止手段と係止部との係合が外れて開閉扉が開くものである（特許文献１参照）。
【０００５】
また、扉枠が金属製の場合は、係止手段として開閉扉の裏側に磁石を取り付けたものがあり、磁石が金属製の扉枠に吸着することで開閉扉を扉枠に収納することができるようになっている。
【０００６】
【特許文献１】
実開平５−２５２０８号公報。
【０００７】
【発明が解決しようとする課題】
ところで、石油燃焼器は冬季の寒い時期に使用するものであるが、樹脂成形品は温度が低いと硬くなりやすい性質があり、石油燃焼器の使い始めは周囲の温度が低い為に樹脂成形品である開閉扉が湾曲しにくくなっており、開閉扉の開閉動作が硬くなり使い勝手が悪いものであった。
【０００８】
また、開閉扉を湾曲させて開閉する方法で確実かつスムーズに開閉を行う為には、開閉扉の寸法精度が要求されるが、樹脂成形品は成形時の寸法誤差が生じやすいので、寸法管理が難しくコストアップにつながるものであった。
【０００９】
一方、開閉扉に磁石を取り付けたものでは、磁石を接着剤などで開閉扉に取り付けている為、長年に渡って使用していると磁石が脱落することがあり、開閉扉が収納できなくなるといったクレームを発生させることがあった。また、磁石自体が高価で部品点数も増加してしまうので、コストアップにつながるものであった。
【００１０】
【課題を解決するための手段】
この発明は上記課題を解決するもので、石油燃焼器の枠体１の前板２に配置した扉枠３に開閉扉収納部４を形成し、該扉枠３には操作部５を設け、かつ、開閉扉収納部４には操作部５をカバーする為の開閉扉６を取り付け、かつ、該開閉扉６の一端には扉枠３の係止部３ａに係止する係止手段６ａを設け、該係止手段６ａとは反対側に位置する開閉扉６の裏側の突部には孔７を形成し、該孔７は扉枠３に形成した支軸８によって保持され、支軸８を中心にフリーに回動可能とする開閉扉において、前記孔７は支軸８の径よりも大きい長孔で構成し、かつ、開閉扉６の係止手段６ａとは反対側の端部には開閉扉収納部４の収納部端縁４ａ側に向けてバネ部９を形成し、開閉扉６の開時はバネ部９が開閉扉収納部４の収納部端縁４ａに近接しながら回動し、一方、開閉扉６の閉時はバネ部９が収納部端縁４ａに当接し、支軸８は孔７内のバネ部９側に移動して、バネ部９を圧縮しながら開閉扉６の係止手段６ａが開閉扉収納部４内に位置し、かつ、開閉扉６はバネ部９によって係止部３ａ側に移動して、開閉扉収納部４内で係止手段６ａと係止部３ａとが係合するものである。
【００１１】
また、前記バネ部９は開閉扉６の係止手段６ａとは反対側の端部から連続して形成した傾斜もしくは湾曲する部材で構成し、開閉扉６とバネ部９を弾性力のある樹脂成形品で一体に成形したものでは、周囲の温度が低いときでもバネ部９がバネ性を維持しているから、開閉扉６の開閉動作を容易に行うことができる。
【００１２】
【作用】
この発明では、開閉扉６の裏側の突部に形成した孔７を支軸８の径よりも大きい長孔とし、係止手段６ａとは反対側の端部にバネ部９を形成したものであり、開閉扉６を開く時は、バネ部９を圧縮しながら開閉扉６をバネ部９側に移動させると係止手段６ａが係止部３ａから外れ、開閉扉６が少し開けば開閉扉６は係止手段６ａ側へ移動できるから、バネ部９が収納部端縁４ａから離れて開閉扉６を開くことができる。
【００１３】
一方、開閉扉６を閉じる時は係止手段６ａが収納部端縁４ａにぶつかり、更に開閉扉６を閉方向に押圧すると、バネ部９が圧縮されながら開閉扉６はバネ部９側に移動して、係止手段６ａが開閉扉収納部４に収納され、バネ部９の戻る力によって開閉扉６が係止手段６ａ側に移動して、開閉扉収納部４内で係止手段６ａと係止部３ａとが係合して開閉扉６が閉じるものである。
【００１４】
【実施例】
実施例を示す図によってこの構成を説明すると、１は石油燃焼器の枠体、１２は枠体１の前部開口部内に配置した燃焼筒、２は石油燃焼器の前部開口よりも下方に位置した前板、３は前板２に取り付けられる扉枠である。４は扉枠３に形成した開閉扉収納部、４ａは開閉扉収納部４の外周で構成する収納部端縁であり、収納部端縁４ａは扉枠３もしくは前板２の一部で構成している。
【００１５】
５は扉枠３に形成した凹部内に配置した操作部であり、該操作部５は石油燃焼器の芯上下・点火操作等を外部から行うものであり、図に示す実施例では操作部５を上下動するつまみで構成し、芯上下つまみと点火つまみと燃焼量調節つまみを兼用し、押し下げ操作によって芯を上昇させ、押し下げ端部付近で点火操作を行い、上下操作によって燃焼量の調節を行う。また、操作部５を構成するつまみを引き上げて消火操作を行っている。
【００１６】
６は開閉扉収納部４に設けられて操作部５を予期せざる時、或いは幼児等が誤って操作することを防止する為に外部から直接手を触れないようにカバーして操作時のみ開閉操作する開閉扉、１０は開閉扉６を開閉しないで緊急に石油燃焼器を消火操作する時に操作する緊急消火ボタンである。
【００１７】
上記の石油燃焼器において、３ａは扉枠３の一側で開閉扉６の収納部端縁４ａに設けた係止部、６ａは係止部３ａに対応して開閉扉６の一側に設けた係止手段であり、開閉扉６を開閉扉収納部４に収納した時に、係止部３ａに係止手段６ａが係合するものである。
【００１８】
７は係止手段６ａとは反対側に位置する開閉扉６の裏側に形成した孔、８は開閉扉６の孔７に対応して扉枠３に形成した支軸であり、支軸８は開閉扉収納部４の上下の収納部端縁４ａから一対形成しており、開閉扉６は孔７に支軸８が嵌合して支軸８を中心に回動可能となっている。
【００１９】
１１は開閉扉６の係止手段６ａ付近に設けた扉開閉つまみであり、開閉扉６は弾性力のある樹脂成形品で成形し、開閉扉６の係止手段６ａは外方に向いた突起が形成してある。開閉扉６を開ける時は扉開閉つまみ１１を孔７側へ押圧すると、樹脂成形品である開閉扉６が湾曲して係止手段６ａが係止部３ａから外れるから開閉扉６が開くものである。
【００２０】
一方、開閉扉６を閉じる時は、係止手段６ａの突起が収納部端縁４ａにぶつかり、更に扉開閉つまみ１１を閉方向へ押圧すると、開閉扉６が湾曲して係止手段６ａが開閉扉収納部４に収納され、湾曲した開閉扉６が戻って係止手段６ａが係止部３ａに係合して開閉扉６が閉じるものである。
【００２１】
ところで、開閉扉６の開閉動作は周囲の温度が低い石油燃焼器の使い始めに行う必要があるが、樹脂成形品は温度が低いと硬くなりやすい性質があり、上記のように開閉扉６の湾曲を利用して開閉する構造では、開閉動作に強い力が必要となり、使い勝手が悪いものであった。
【００２２】
また、開閉扉６の寸法が大きいと開閉扉６を湾曲させても開閉扉収納部４に収納できなかったり、収納できたとしても湾曲したまま戻らなくなることがある。逆に、開閉扉６の寸法が小さいと係止手段６ａと係止部３ａとの間隔が広くなってしまい、係止手段６ａと係止部３ａとが係合できなくなる為、開閉扉６の寸法精度が要求されるが、樹脂成形品は成形時に寸法誤差が生じやすい為、開閉扉６は寸法の許容範囲を外れるものが多く出てしまい、無駄が多くなってコストアップにつながるものであった。
【００２３】
また、扉枠３が金属製の場合には、係止手段として磁石を利用したものがあるが、別部品として磁石を取り付ける構造である為、磁石が脱落して開閉扉６が収納できなくなったり、磁石自体が高価である為にコストアップにつながる欠点があった。
【００２４】
この発明は上記の課題を解決するもので、開閉扉６の裏側の突部に形成した孔７を支軸８の径よりも大きい長孔で構成し、孔７に嵌合した支軸８との関係は多少ガタツキをもたせてあり、開閉扉６が孔７の範囲内で移動できるようになっている。
【００２５】
９は開閉扉６の孔７側の端部に設けたバネ部であり、該バネ部９は開閉扉６の端部と収納部端縁４ａとを間隔を設けて対向し、開閉扉６の端部から収納部端縁４ａに向けて形成しており、図１に示す実施例は開閉扉６の裏側に取り付けた板バネで構成したものである。開閉扉６が開閉扉収納部４に収納された状態では、バネ部９が収納部端縁４ａに当接して開閉扉６を係止手段６ａ側に付勢して係合を維持しており、この時、支軸８は孔７の係止手段６ａ側の壁面から離れた位置にある。
【００２６】
そして、開閉扉６を開く時は、扉開閉つまみ１１を孔７側へ押圧すると、支軸８は孔７の係止手段６ａ側の壁面から離れた位置にあるので、バネ部９が圧縮しながら開閉扉６が孔７側へ移動するから、係止手段６ａが係止部３ａから外れて開閉扉６が開くことができ、開閉扉６がわずかでも開けば開閉扉６が係止手段６ａ側に移動できるから、バネ部９が収納部端縁４ａから離れて回動するものである。
【００２７】
一方、開閉扉６を閉じる時は、バネ部９を収納部端縁４ａに当接させても係止手段６ａの外方に向けた突起が収納部端縁４ａにぶつかり、この時、支軸８が孔７の係止手段６ａ側の壁面から離れた位置にあるので、更に扉開閉つまみ１１を閉方向に押圧すれば、バネ部９が圧縮しながら開閉扉６が孔７側へ移動するから、係止手段６ａが開閉扉収納部４に収納され、バネ部９の戻る力によって開閉扉６が係止手段６ａ側に移動して係止手段６ａが係止部３ａに係合するものである。
【００２８】
上記のような構造であれば、周囲の温度が低い石油燃焼器の使い始めの開閉扉６が硬い時でも、強い力を加えなくてもバネ部９の変形によって容易に開閉が可能となるから、使い勝手を向上することができた。
【００２９】
また、開閉扉６の寸法が大きい時はバネの伸縮が小さくなり、開閉扉６の寸法が小さい時はバネの伸縮幅が大きくなり、開閉扉６の寸法に多少の寸法誤差があってもバネ部９の伸縮幅が変わることで開閉できるから、開閉扉６の寸法の許容範囲を広げることができ、成形時に寸法誤差の生じやすい樹脂成形品でも寸法管理が容易になった。
【００３０】
また、図３及び図４に示す他の実施例では、開閉扉６とバネ部９とを弾性力のある樹脂成形品で一体に形成したものであり、この発明の実施例では開閉扉６の係止手段６ａとは反対側の端部から収納部端縁４ａに向けて湾曲状に伸ばした部分でバネ部９を構成している。このような形状であればバネ部９を構成する湾曲部分自体にバネ性を持たせることができ、バネ部９は寒さによって硬くなってもバネ性を維持することができるから、開閉扉６の開閉時には容易に変形して開閉動作をスムーズに行うことができる。
【００３１】
また、この構造であれば開閉扉６とバネ部９とが一体に形成されるから、バネ部９が脱落する心配もなくなると共に、部品点数や組立工程数の増加を抑えてコストアップすることなく実現できるものとなった。
【００３２】
尚、この発明の実施例ではバネ部９を開閉扉６に形成した構造であるが、バネ部９を開閉扉収納部４から前方に向けて突出させ、バネ部９の先端が開閉扉６の係止手段６ａとは反対側の端部と収納部端縁４ａとの間に位置するように形成し、開閉扉６を閉じた状態で開閉扉６の端部に当接するように構成したものでも同様の効果を得ることができる。
【００３３】
【発明の効果】
以上のようにこの発明では、開閉扉６の裏側の突部に設けた孔７を長孔で構成し、係止手段６ａとは反対側の端部にバネ部９を形成したものであり、開閉扉６の開閉動作の際に、強い力を加えなくても容易に開閉でき、室温の低い石油燃焼器の使い始めでも開閉動作がスムーズに行えるようになり、使い勝手が向上するものとなった。
【００３４】
また、開閉扉６の寸法に誤差が生じた時は、バネ部９の伸縮幅が変わることによって係合が維持でき、開閉扉６の寸法の許容範囲を大きくとることができるから、成形時に寸法誤差の生じやすい樹脂成形品で開閉扉６を成形しても、寸法管理が容易にでき、製造コスト低減を実現できるものとなった。
【００３５】
また、バネ部９を開閉扉６の係止手段６ａとは反対側の端部から傾斜もしくは湾曲した部材で形成し、開閉扉６とバネ部９を弾性力のある樹脂成形品で一体に成形したものでは、バネ部９自体がバネ性を持つ形状となり、周囲の温度が低いときでもバネ部９は容易に変形することができるから、開閉扉６の開閉動作をスムーズに行えるものとなった。
【００３６】
更に、開閉扉６とバネ部９を一体に構成したことによって、バネ部９の脱落の心配がなくなり、また、部品点数や組立工程の増加を抑えると共に、大がかりな設計変更を行う必要もないから、製造コストを上昇することなく容易に実現できるものとなった。
【図面の簡単な説明】
【図１】この発明の実施例を示す要部断面図である。
【図２】図１に示す実施例の動作状態を示す要部断面図である。
【図３】この発明の他の実施例を示す開閉扉を閉じた状態の要部断面図である。
【図４】図３に示す実施例の開閉扉を開けた状態の要部断面図である。
【図５】石油燃焼器の正面外観図である。
【符号の説明】
１    枠体
２    前板
３    扉枠
３ａ  係止部
４    開閉扉収納部
４ａ  収納部端縁
５    操作部
６    開閉扉
６ａ  係止手段
７    孔
８    支軸
９    バネ部
【図１】
2004205170.tif 000003
【図２】
2004205170.tif 000004
【図３】
2004205170.tif 000005
【図４】
2004205170.tif 000006
【図５】
2004205170.tif 000007